(57)【特許請求の範囲】
【請求項１】
上面が開口した断面Ｕ字形状のセット穴を軸線方向に貫通した保持枠を備え、上記セット穴の少なくとも底部内周面に、挿入してセットするコルゲートチューブの山部と谷部に一致するピッチで凸部と凹部とを交互に連続的に形成し、セットしたコルゲートチューブを移動不可に保持する構成としていることを特徴とするコルゲートチューブ取付用の治具。
【請求項２】
上記セット穴の両側内周面にも底部と連続した凸部と凹部を形成し、かつ、該セット穴を備えた上記保持枠を、ワイヤハーネス組立用図板上に着脱自在に取り付けるロッドの上端に固定している請求項１に記載のコルゲートチューブ取付用の治具。
【請求項３】
請求項１または請求項２に記載の治具を用いてワイヤハーネスにコルゲートチューブを取り付ける方法であって、
ワイヤハーネスがＴ字状に分岐する部分において、直線方向のワイヤハーネスに対して直交方向に分岐して上記Ｔ字の縦軸方向となるワイヤハーネスに外装するコルゲートチューブを上記治具のセット穴に挿入し、該コルゲートチューブの先端を、上記Ｔ字の横軸方向のワイヤハーネスに外装するコルゲートチューブに対して側面方向から突き当てた状態として、上記セット穴内でコルゲートチューブを移動不可に保持し、この状態で、コルゲートチューブの分岐側と反対側先端をワイヤハーネスとテープ巻き固定し、その後、分岐側において、上記横軸方向のワイヤハーネスに外装したコルゲートチューブと、治具で保持したコルゲートチューブとの接合部分をテープ巻きで結合している治具を用いたコルゲートチューブの取付方法。
【請求項４】
上記治具で保持したコルゲートチューブの先端を、縮めた状態で、上記横軸方向のワイヤハーネス外装用のコルゲートチューブに対して突き当て、上記ワイヤハーネスのＴ字状分岐部の布線治具を下降した時に、縮めた部分を伸ばして、上記布線治具の下降で生じたコルゲートチューブ接合部の隙間をカバーしている請求項３に記載の治具を用いたコルゲートチューブの取付方法。
【発明の詳細な説明】
【０００１】
【発明の属する技術分野】
本発明は、自動車用ワイヤハーネスにコルゲートチューブを外装する場合に用いるコルゲートチューブ取付用の治具および該治具を用いたコルゲートチューブの取付方法に関するもので、特に、ワイヤハーネスがＴ字状に分岐する部分において、横軸方向の幹線側より縦軸方向に分岐する支線に取り付けるコルゲートチューブを幹線側に取り付けるコルゲートチューブとの間に隙間が発生しないように取り付けるものである。
【０００２】
【従来の技術】
従来、自動車のエンジンルーム内に配索するワイヤハーネスには、外部材からの保護や防水等の目的でコルゲートチューブを外装している箇所が多い。その場合、図５に示すように、ワイヤハーネスの幹線Ｗ−１から支線Ｗ−２がＴ字状に分岐している部分では、幹線の電線Ｗ−１に第一コルゲートチューブ１を外装し、支線Ｗ−２に第二コルゲートチューブ２を外装し、該第二コルゲートチューブ２の先端２ａを第一コルゲートチューブ１に突き当て、該突き当て部分が外れないように、図６に示すように、テープ３をたすき掛けで巻き付けている。
【０００３】
詳しくは、図７に示すように、ワイヤハーネス組立図板上に立設した布線治具５に電線ｗを布線し、幹線側の電線Ｗ−１に第一コルゲートチューブ１を外装する。ついで、支線側の電線Ｗ−２に第二コルゲートチューブ２を外装し、該第二コルゲートチューブ２の先端２ａを第一コルゲートチューブ１に突き当てるように保持して、他端２ｂを電線Ｗ−２にテープ６で巻き付けて、第二コルゲートチューブ２を電線Ｗ−２に固定する。最後に、Ｔ字状分岐部の布線治具５−１を下降させて、第一と第二コルゲートチューブ１、２との接合部Ｘをテープ３で巻き付けて、第一と第二コルゲートチューブ１、２とを固定している。
【０００４】
【発明が解決しようとする課題】
上記方法でコルゲートチューブをワイヤハーネスに外装する場合、第二コルゲートチューブ２の先端２ａを第一コルゲートチューブ１に突き当てた状態として、第二コルゲートチューブ２の他端２ｂをテープ６で固定しても、該テープ６を巻き付ける時に第二コルゲートチューブ２が他端２ｂ側へ引っ張られて、第二コルゲートチューブ２の先端２ａと第一コルゲートチューブ１との間に隙間が発生することが多い。
【０００５】
また、分岐部分の電線群を保持している布線治具５−１が第一と第二コルゲートチューブ１、２の突き当て部分に介在しているため、布線治具５−１を下降すると、該布線治具５−１が存在していた部分に隙間が発生する。
【０００６】
このように、コルゲートチューブで外装しても分岐部に隙間が発生すると、該隙間から水が浸水すると共に、この隙間に外部材が当たると電線に損傷が発生する等、確実な保護が図れない問題があり、品質不良となる。
【０００７】
本発明は上記問題に鑑みてなされたもので、Ｔ字状の分岐部において、コルゲートチューブが隙間なく外装できるようにした治具および該治具を用いたコルゲートチューブの取付方法を提供することを課題としている。
【０００８】
【課題を解決するための手段】
上記課題を解決するため、本発明は、請求項１で、上面が開口した断面Ｕ字形状のセット穴を軸線方向に貫通した保持枠を備え、上記セット穴の少なくとも底部内周面に、挿入してセットするコルゲートチューブの山部と谷部に一致するピッチで凸部と凹部とを交互に連続的に形成し、セットしたコルゲートチューブを移動不可に保持する構成としていることを特徴とするコルゲートチューブ取付用の治具を提供している。
【０００９】
上記セット穴の両側内周面にも底部と連続した凸部と凹部を形成し、かつ、該セット穴を備えた上記保持枠を、ワイヤハーネス組立用図板上に着脱自在に取り付けるロッドの上端に固定している（請求項２）。
【００１０】
また、本発明は、請求項３で、請求項１または請求項２に記載の治具を用いてワイヤハーネスにコルゲートチューブを取り付ける方法を提供している。即ち、ワイヤハーネスがＴ字状に分岐する部分において、直線方向のワイヤハーネスに対して直交方向に分岐して上記Ｔ字の縦軸方向となるワイヤハーネスに外装するコルゲートチューブを上記治具のセット穴に挿入し、該コルゲートチューブの先端を、上記Ｔ字の横軸方向のワイヤハーネスに外装するコルゲートチューブに対して側面方向から突き当てた状態として、上記セット穴内でコルゲートチューブを移動不可に保持し、この状態で、コルゲートチューブの分岐側と反対側先端をワイヤハーネスとテープ巻き固定し、その後、分岐側において、上記横軸方向のワイヤハーネスに外装したコルゲートチューブと、治具で保持したコルゲートチューブとの接合部分をテープ巻きで結合している治具を用いたコルゲートチューブの取付方法を提供している。
【００１１】
上記治具で保持したコルゲートチューブの先端を、縮めた状態で、上記横軸方向のワイヤハーネス外装用のコルゲートチューブに対して突き当て、上記ワイヤハーネスのＴ字状分岐部の布線治具を下降した時に、縮めた部分を伸ばして、上記布線治具の下降で生じたコルゲートチューブ接合部の隙間をカバーすることが好ましい（請求項４）。
【００１２】
上記したように、請求項１または請求項２に記載した治具を用いると、該治具のセット穴の凹部にコルゲートチューブの山部、凸部に谷部が嵌合して、移動不可に保持される。よって、分岐側（縦軸側）のコルゲートチューブの先端を幹線側（横軸側）のコルゲートチューブに突き当てた状態で、上記治具にセットすると、このセットしたコルゲートチューブの他端をテープ巻き固定した時に、突き当て状態を保持できる。よって、この突き当て部分に隙間が発生することが解消できる。
【００１３】
さらに、請求項４に記載しているように、突き当て部分でコルゲートチューブを縮めた状態としておくと、分岐部分の布線治具を下降した時に、該治具が占めていた部分をカバーするようにコルゲートチューブを伸ばして、隙間の発生を確実に防止することができる。また、この突き当て部側の先端を縮めた状態としてコルゲートチューブを上記請求項１または請求項２の治具により保持することができる。
【００１４】
【発明の実施の形態】
以下、本発明の実施形態を図面を参照して説明する。
【００１５】
図１に示すように、本発明に係わるコルゲートチューブ取付用の治具１０は、上面が開口した断面Ｕ字形状のセット穴１１を軸線方向に貫通した保持枠１２をロッド１３の上端面に固定している。上記セット穴１１は、底部内面から両側部内面周面にかけて、凸部１１ａと凹部１１ｂとを貫通方向に交互に連続して形成している。
【００１６】
上記凸部１１ａと凹部１１ｂのピッチは、挿入してセットするコルゲートチューブ２０の谷部２０ａと山部２０ｂに一致するピッチとしている。なお、セット穴１１の内面に形成する凸部１１ａと凹部１１ｂとは少なくとも底面部内面に設けておく必要があるが、両側部内面に設けなくともよい。両側部内面に設けない場合には、コルゲートチューブ２０をセット穴１１の底部側でのみ凸部１１ａと凹部１１ｂとで位置決め保持できる。また、セット穴１１が貫通した長さ方向の全体に亙って凹部と凸部とを設ける必要もなく、一部にのみ設けておればよく、その場合、少なくとも３つの凸部と凹部とを連続させて設けておけば、確実に位置決め保持できる。
【００１７】
また、セット穴１１の大きさは、図２に示すように、大径のコルゲートチューブ２０（図中、実線で示す）が挿入できる大きさにしておくことが好ましい。この場合、小径のコルゲートチューブ２０’（図中、点線で示す）を挿入しても、山部と谷部のピッチが大径コルゲートチューブと同一であれば、小径コルゲートチューブ２０’の一部をセット穴１１の凸部１１ａと凹部１１ｂに嵌合させて位置決め保持でき、共用で利用することができる。
【００１８】
上記保持枠１２を上端に固定したロッド１３の下部にはストッパ１４を突設するとともに、該ストッパ１４より下部のロッド１３の外周面にネジ１３ａを形成している。よって、ワイヤハーネス組立用の台１５の孔にロッド１３の下部を挿入し、ストッパ１４を台１５上で係止した状態で、台１５の下方からナット（図示せず）で締め付けると、コルゲートチューブ用治具１０を簡単に台１５上に立設することができる。
【００１９】
上記構成のコルゲートチューブ用治具１０は、図３に示すように、ワイヤハーネス組立用の台１５上において、ワイヤハーネスの幹線Ｗ−１からＴ字状に分岐する支線Ｗ−２が配線される位置に取り付けられる。
【００２０】
幹線Ｗ−１側には、直線部にＹ形状の布線用治具１６を配置していると共に、上記Ｔ字状分岐位置Ｘに３又形状の布線用治具１７を配置している。同様に、支線Ｗ−２側の分岐位置にも布線用治具１８を配置している。
【００２１】
上記布線用治具１６〜１８で保持して電線を布線した後、幹線Ｗ−１に第一コルゲートチューブ３０を外嵌する。該第一コルゲートチューブ３０はスリット付きで側方から電線群に取り付けられる。また、分岐位置Ｘには開口３０ａを有し、支線Ｗ−２が引き出される。
【００２２】
次いで、支線Ｗ−２に第二コルゲートチューブ２０を外嵌する。該第二コルゲートチューブ２０もスリット付きで側方から電線群に取り付けられる。該第二コルゲートチューブ２０の先端２０ｃを第一コルゲートチューブ３０に突き当てた状態で、コルゲートチューブ用治具１０内に挿入し、その凸部１０ａに谷部２０ａ、凹部１０ｂに山部２０ｂを一致させる。この状態で、第二コルゲートチューブ２０はコルゲートチューブ用治具１０により位置決め保持されて移動不可となり、よって、上記先端２０ｃが第一コルゲートチューブ３０に突き当てた状態が保持できる。
【００２３】
かつ、図４に示すように、突き当て部分において、第二コルゲートチューブ２０の先端２０ｃに、谷部２０ａと山部２０ｂのピッチを縮めた部分２０ｄを形成しておく。
【００２４】
上記した状態で、第二コルゲートチューブ２０の他端２０ｅにテープ６を巻き付けて、第二コルゲートチューブ２０と支線Ｗ−２とを固定する。このテープ６を巻く時に第二コルゲートチューブ２０が他端２０ｅ側に矢印で示すように引っ張られても、コルゲートチューブ用治具１０で位置決め保持されているため、第二コルゲートチューブ２０は移動せず、先端２０ｃが第一コルゲートチューブ３０に突き当たった状態を保持でき、隙間を生じさせない。
【００２５】
ついで、Ｔ字状の分岐位置Ｘの布線用治具１７を台１５の取付穴を通して下降させる。ついで、第二コルゲートチューブ２０側で、先端２０ｃに設けていた縮めた部分２０ｄを伸ばして布線用治具１７の軸部が存在していた部分に生じた隙間をカバーする。その後、第一コルゲートチューブ３０と第二コルゲートチューブ２０とをテープ３によりタスキ掛けで巻き付けて固定する。
【００２６】
上記のように、第二コルゲートチューブ２０の先端２０ｃを第一コルゲートチューブ３０に突き当てた状態をコルゲートチューブ用治具１０で保持できるため、分岐位置において隙間が発生することが防止できる。かつ、分岐位置の布線用治具１７を下降させた時に発生する隙間も無くすことができる。
【００２７】
なお、分岐位置Ｘにおいて、布線用治具１７の構造により、布線用治具１７を下降させても、第一コルゲートチューブ３０と第二コルゲートチューブ２０との間に隙間が発生しない場合には、第二コルゲートチューブ２０の先端２０ｃに縮めた部分２０ｅを設けておく必要はない。
【００２８】
【発明の効果】
以上の説明より明らかなように、本発明によれば、コルゲートチューブを位置決め保持して、テープ巻き時に移動しないようにしているため、Ｔ字状分岐位置でコルゲートチューブを突き合わせ状態に保持できる。よって、このコルゲートチューブの突き合わせ部分に隙間が発生することを防止でき、形成したワイヤハーネスの品質を向上させることができる。
【００２９】
また、コルゲートチューブを取り付ける作業者は、突き合わせ状態が保持できているかどうかをチェックしながらテープ巻きをする必要がなくなり、作業性を向上させることができる。
【図面の簡単な説明】
【図１】  本発明の実施形態の治具を示す斜視図である。
【図２】  治具の大きさを示す概略図である。
【図３】  上記治具を用いたワイヤハーネスへのコルゲートチューブの取付状態を示す斜視図である。
【図４】  コルゲートチューブを外装するワイヤハーネスの配索状態を示す概略図である。
【図５】  Ｔ字状分岐位置でのコルゲートチューブの取付状態を示す概略図である。
【図６】  図５の一部拡大図である。
【図７】  従来のＴ字状に分岐したワイヤハーネスへのコルゲートチューブの取付方法を示す斜視図である。
【符号の説明】
３、６  テープ
１０  コルゲートチューブ用治具
１１  セット穴
１１ａ  凸部
１１ｂ  凹部
１２  保持枠
１３  ロッド
２０  （第二）コルゲートチューブ
２０ａ  谷部
２０ｂ  山部
２０ｃ  先端
２０ｄ  縮めた部分
１７  布線用治具
３０  第一コルゲートチューブ
【図１】
0003718960.tif 000002
【図２】
0003718960.tif 000003
【図３】
0003718960.tif 000004
【図４】
0003718960.tif 000005
【図５】
0003718960.tif 000006
【図６】
0003718960.tif 000007
【図７】
0003718960.tif 000008